(57)【特許請求の範囲】
【請求項１】
無線通信システムにおける、リソースの割当情報の転送のための基地局の動作の方法において、
前記リソースの割当情報のビットをランダム化するためのシード（Ｓｅｅｄ）値を決定する過程と、
前記シード値及び加入者識別子（Ｓｔａｔｉｏｎ  Ｉｄｅｎｔｉｆｉｅｒ：ＳＴＩＤ）を含むＭＡＣ制御メッセージを構成する過程と、
前記ＭＡＣ制御メッセージを端末に転送する過程と、を含み、
前記加入者識別子はＣＲＣ（Ｃｙｃｌｉｃ  Ｒｅｄｕｎｄａｎｃｙ  Ｃｈｅｃｋ）マスクマスキングコードとして使用されることを特徴とする方法。
【請求項２】
前記ＭＡＣ制御メッセージは、ネットワーク進入の際、端末から受信されたレンジング要請（ＡＡＩ−ＲＮＧ−ＲＥＱ）メッセージに応答して基地局によって転送されるレンジング応答（ＡＡＩ−ＲＮＧ−ＲＳＰ）メッセージ、ネットワーク進入の途中、一般端末能力（ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ために、端末から受信された登録要請（ＡＡＩ−ＲＥＧ−ＲＥＱ）メッセージに受信された登録要請（ＡＡＩ−ＲＥＧ−ＲＥＱ）メッセージに応答して基地局によって転送される登録応答メッセージ（ＡＡＩ−ＲＥＧ−ＲＳＴ）、ハンドオーバーの手順を始める（ｉｎｉｔｉａｔｅ）ために、或いは端末によって転送されたハンドオーバー要請メッセージ（ＡＡＩ−ＨＯ−ＲＥＱ）に応答して基地局によって転送されるハンドオーバー命令（ＡＡＩ−ＨＯ−ＣＭＤ）メッセージのうち一つであることを特徴とする請求項１に記載の方法。
【請求項３】
前記加入者識別子は、ＣＲＣマスクマスキングコードとして使用される際、前記シード値は前記リソースの割当情報ビットをスクランブルするために使用される疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機を初期化するために使用されることを特徴とする請求項１に記載の方法。
【請求項４】
前記シード値を利用してシーケンスを生成し、生成されたシーケンスとリソースの割当情報ビットをＸＯＲ演算して前記リソースの割当情報ビットをランダム化する過程と、
前記ＣＲＣマスクマスキングコードを利用して１６ビットＣＲＣをマスキングする過程と、
前記ランダム化されたリソースの割当情報ビットにマスキングされた１６ビットＣＲＣを追加する過程と、
前記マスキングされたＣＲＣが追加されたランダム化されたリソースの割当情報を転送する過程と、を含むことを特徴とする請求項１に記載の方法。
【請求項５】
前記ＣＲＣマスクマスキングコードは、
ｍａｓｋｉｎｇ  ｐｒｅｆｉｘ（１ビット）と最下位ビット（Ｌｅａｓｔ  Ｓｉｇｎｉｆｉｃａｎｔ  Ｂｉｔ：ＬＢＳ）（１５ビット）で構成され、
ｍａｓｋｉｎｇ  ｐｒｅｆｉｘが「０」であるとき、最下位ビットである１５ビットはＴｙｐｅ  ｉｎｄｉｃａｔｏｒ（３ビット）、そしてｍａｓｋｉｎｇ  ｃｏｄｅ（１２ビット）で構成され、ｍａｓｋｉｎｇ  ｐｒｅｆｉｘが「１」であるとき、最下位ビットである１５ビットとしてＲＡＩＤ（Ｒａｎｄｏｍ  Ａｃｃｅｓｓ  ＩＤ）を使用することを特徴とする請求項１に記載の方法。
【請求項６】
前記シード値はあらかじめ決定された時間の後に初期値から変化する時間可変性値（ｔｉｍｅ−ｖａｒｙｉｎｇ  ｖａｌｕｅ）であることを特徴とする請求項１に記載の方法。
【請求項７】
前記基地局及び前記端末は前記あらかじめ決定された時間の後に前記シード値を変更する共有された時間可変性関数（ｔｉｍｅ−ｖａｒｙｉｎｇ  ｆｕｎｃｔｉｏｎ）に同期化されることを特徴とする請求項６に記載の方法。
【請求項８】
前記加入者識別子が前記ＣＲＣマスクマスキングコードではない場合、疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機の初期ベクターは、マスキングプレフィックス（ｍａｓｋｉｎｇ  ｐｒｅｆｉｘ）（１ビット）を除く前記ＣＲＣマスクマスキングコードと同じであることを特徴とする請求項１に記載の方法。
【請求項９】
無線通信システムにおける、リソースの割当情報の受信のための端末動作の方法において、
ネットワーク進入の手順の際、前記リソースの割当情報のビットをランダム化するためのシード（Ｓｅｅｄ）値及び加入者識別子（Ｓｔａｔｉｏｎ  Ｉｄｅｎｔｉｆｉｅｒ：ＳＴＩＤ）を含むＭＡＣ制御メッセージを基地局から受信する過程と、
前記ＭＡＣ制御メッセージから前記シード値及び前記加入者識別子を抽出する過程と、
前記シード値及び前記加入者識別子に基づき、前記リソースの割当情報ビットを復号する過程と、を含み、
前記加入者識別子はＣＲＣ（Ｃｙｃｌｉｃ  Ｒｅｄｕｎｄａｎｃｙ  Ｃｈｅｃｋ）マスクマスキングコードとして使用されることを特徴とする方法。
【請求項１０】
前記ＭＡＣ制御メッセージは、ネットワーク進入の際、端末から受信されたレンジング要請（ＡＡＩ−ＲＮＧ−ＲＥＱ）メッセージに応答して基地局によって転送されるレンジング応答（ＡＡＩ−ＲＮＧ−ＲＳＰ）メッセージ、ネットワーク進入の途中、一般端末能力（ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ために、端末から受信された登録要請（ＡＡＩ−ＲＥＧ−ＲＥＱ）メッセージに受信された登録要請（ＡＡＩ−ＲＥＧ−ＲＥＱ）メッセージに応答して基地局によって転送される登録応答メッセージ（ＡＡＩ−ＲＥＧ−ＲＳＴ）、ハンドオーバーの手順を始める（ｉｎｉｔｉａｔｅ）ために、或いは端末によって転送されたハンドオーバー要請メッセージ（ＡＡＩ−ＨＯ−ＲＥＱ）に応答して基地局によって転送されるハンドオーバー命令（ＡＡＩ−ＨＯ−ＣＭＤ）メッセージのうち一つであることを特徴とする請求項９に記載の方法。
【請求項１１】
前記加入者識別子は、ＣＲＣマスクマスキングコードとして使用される際、前記シード値は前記リソースの割当情報ビットをスクランブルするために使用される疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機を初期化するために使用されることを特徴とする請求項９に記載の方法。
【請求項１２】
前記シード値及び前記加入者識別子に基づき、前記リソースの割当情報ビットを復号する過程は、
前記リソースの割当情報ビットに含まれたマスクされたＣＲＣをＣＲＣマスクマスキングコードを利用して復元する過程と、
前記復元されたＣＲＣを利用してＣＲＣチェックを行った後、ランダム化のためのシード値を利用してシーケンスを生成する過程と、
生成されたシーケンスと前記ランダム化されたリソースの割当情報ビットをＸＯＲ演算し、前記リソースの割当情報ビットを逆ランダム化する過程と、を含むことを特徴とする請求項９に記載の方法。
【請求項１３】
前記ＣＲＣマスクマスキングコードは、
ｍａｓｋｉｎｇ  ｐｒｅｆｉｘ（１ビット）と最下位ビット（１５ビット）で構成され、
ｍａｓｋｉｎｇ  ｐｒｅｆｉｘが「０」であるとき、最下位ビットである１５ビットはＴｙｐｅ  ｉｎｄｉｃａｔｏｒ（３ビット）、そしてｍａｓｋｉｎｇ  ｃｏｄｅ（１２ビット）で構成され、ｍａｓｋｉｎｇ  ｐｒｅｆｉｘが「１」であるとき、最下位ビットである１５ビットとしてＲＡＩＤ（Ｒａｎｄｏｍ  Ａｃｃｅｓｓ  ＩＤ）を使用することを特徴とする請求項９に記載の方法。
【請求項１４】
前記加入者識別子が前記ＣＲＣマスクマスキングコードではない場合、疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機の初期ベクターは、マスキングプレフィックス（ｍａｓｋｉｎｇ  ｐｒｅｆｉｘ）(１ビット)を除く前記ＣＲＣマスクマスキングコードと同じであることを特徴とする請求項９に記載の方法。
【請求項１５】
無線通信システムにおける、リソースの割り当情報の転送のための基地局装置において、
前記リソースの割当情報のビットをランダム化するためのシード（Ｓｅｅｄ）値を決定し、
前記シード値及び加入者識別子（Ｓｔａｔｉｏｎ  Ｉｄｅｎｔｉｆｉｅｒ：ＳＴＩＤ）を含むＭＡＣ制御メッセージを構成する制御部と、
前記ＭＡＣ制御メッセージを端末に転送する送信部と、を含み、
前記加入者識別子はＣＲＣ（Ｃｙｃｌｉｃ  Ｒｅｄｕｎｄａｎｃｙ  Ｃｈｅｃｋ）マスクマスキングコードとして使用されることを特徴とする装置。
【請求項１６】
前記ＭＡＣ制御メッセージは、ネットワーク進入の際、端末から受信されたレンジング要請（ＡＡＩ−ＲＮＧ−ＲＥＱ）メッセージに応答して基地局によって転送されるレンジング応答（ＡＡＩ−ＲＮＧ−ＲＳＰ）メッセージ、ネットワーク進入の途中、一般端末能力（ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ために、端末から受信された登録要請（ＡＡＩ−ＲＥＧ−ＲＥＱ）メッセージに受信された登録要請（ＡＡＩ−ＲＥＧ−ＲＥＱ）メッセージに応答して基地局によって転送される登録応答メッセージ（ＡＡＩ−ＲＥＧ−ＲＳＴ）、ハンドオーバーの手順を始める（ｉｎｉｔｉａｔｅ）ために、或いは端末によって転送されたハンドオーバー要請メッセージ（ＡＡＩ−ＨＯ−ＲＥＱ）に応答して基地局によって転送されるハンドオーバー命令（ＡＡＩ−ＨＯ−ＣＭＤ）メッセージのうち一つであることを特徴とする請求項１５に記載の装置。
【請求項１７】
前記加入者識別子は、ＣＲＣマスクマスキングコードとして使用される際、前記シード値は前記リソースの割当情報ビットをスクランブルするために使用される疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機を初期化するために使用されることを特徴とする請求項１５に記載の装置。
【請求項１８】
前記シード値を利用してシーケンスを生成し、生成されたシーケンスとリソースの割当情報ビットをＸＯＲ演算して前記リソースの割当情報ビットをランダム化するランダム化機と、
ＣＲＣマスクマスキングコードを利用して１６ビットＣＲＣをマスキングするＣＲＣマスク部と、
前記ランダム化されたリソースの割当情報ビットにマスキングされた１６ビットＣＲＣを追加するＣＲＣ挿入機と、
前記マスキングされ、ＣＲＣが追加され、ランダム化されたリソースの割当情報をエンコーディングするチャンネルコーディング部と、
前記エンコーディングされたリソースの割当情報を変調する変調器と、を含むことを特徴とする請求項１５に記載の装置。
【請求項１９】
前記ＣＲＣマスクマスキングコードは、
ｍａｓｋｉｎｇ  ｐｒｅｆｉｘ（１ビット）と最下位ビット（１５ビット）で構成され、
ｍａｓｋｉｎｇ  ｐｒｅｆｉｘが「０」であるとき、最下位ビットである１５ビットはＴｙｐｅ  ｉｎｄｉｃａｔｏｒ（３ビット）、そしてｍａｓｋｉｎｇ  ｃｏｄｅ（１２ビット）で構成され、ｍａｓｋｉｎｇ  ｐｒｅｆｉｘが「１」であるとき、最下位ビットである１５ビットとしてＲＡＩＤ（Ｒａｎｄｏｍ  Ａｃｃｅｓｓ  ＩＤ）を使用することを特徴とする請求項１５に記載の装置。
【請求項２０】
前記加入者識別子が前記ＣＲＣマスクマスキングコードではない場合、疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機の初期ベクターは、マスキングプレフィックス（ｍａｓｋｉｎｇ  ｐｒｅｆｉｘ）(１ビット)を除く前記ＣＲＣマスクマスキングコードと同じであることを特徴とする請求項１５に記載の装置。
【請求項２１】
無線通信システムにおける、リソースの割当情報の受信のための端末装置において、
ネットワーク進入の手順の際、前記リソースの割当情報のビットをランダム化するためのシード（Ｓｅｅｄ）値及び加入者識別子（Ｓｔａｔｉｏｎ  Ｉｄｅｎｔｉｆｉｅｒ：ＳＴＩＤ）を含むＭＡＣ制御メッセージを基地局から受信する受信部と、
前記ＭＡＣ制御メッセージから前記シード値及び前記加入者識別子を抽出し、
前記シード値及び前記加入者識別子に基づき、前記リソースの割当情報ビットを復号する復号部と、を含み、
前記加入者識別子はＣＲＣ（Ｃｙｃｌｉｃ  Ｒｅｄｕｎｄａｎｃｙ  Ｃｈｅｃｋ）マスクマスキングコードとして使用されることを特徴とする装置。
【請求項２２】
前記ＭＡＣ制御メッセージは、ネットワーク進入の際、端末から受信されたレンジング要請（ＡＡＩ−ＲＮＧ−ＲＥＱ）メッセージに応答して基地局によって転送されるレンジング応答（ＡＡＩ−ＲＮＧ−ＲＳＰ）メッセージ、ネットワーク進入の途中、一般端末能力（ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ために、端末から受信された登録要請（ＡＡＩ−ＲＥＧ−ＲＥＱ）メッセージに受信された登録要請（ＡＡＩ−ＲＥＧ−ＲＥＱ）メッセージに応答して基地局によって転送される登録応答メッセージ（ＡＡＩ−ＲＥＧ−ＲＳＴ）、ハンドオーバーの手順を始める（ｉｎｉｔｉａｔｅ）ために、或いは端末によって転送されたハンドオーバー要請メッセージ（ＡＡＩ−ＨＯ−ＲＥＱ）に応答して基地局によって転送されるハンドオーバー命令（ＡＡＩ−ＨＯ−ＣＭＤ）メッセージのうち一つであることを特徴とする請求項２１に記載の装置。
【請求項２３】
前記加入者識別子は、ＣＲＣマスクマスキングコードとして使用される際、前記シード値は前記リソースの割当情報ビットをスクランブルするために使用される疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機を初期化するために使用されることを特徴とする請求項２１に記載の装置。
【請求項２４】
前記復号部は、
前記リソースの割当情報ビットに含まれたマスクされたＣＲＣをＣＲＣマスクマスキングコードを利用して復元し、
前記復元されたＣＲＣを利用してＣＲＣチェックを行うＣＲＣチェック部と、
ランダム化のためのシード値を利用してシーケンスを生成し、生成されたシーケンスと前記ランダム化されたリソースの割当情報ビットをＸＯＲ演算し、前記リソースの割当情報ビットを逆ランダム化する逆ランダム化機と、を含むことを特徴とする請求項２１に記載の装置。
【請求項２５】
前記ＣＲＣマスクマスキングコードは、
ｍａｓｋｉｎｇ  ｐｒｅｆｉｘ（１ビット）と最下位ビット（１５ビット）で構成され、
ｍａｓｋｉｎｇ  ｐｒｅｆｉｘが「０」であるとき、最下位ビットである１５ビットはＴｙｐｅ  ｉｎｄｉｃａｔｏｒ（３ビット）、そしてｍａｓｋｉｎｇ  ｃｏｄｅ（１２ビット）で構成され、ｍａｓｋｉｎｇ  ｐｒｅｆｉｘが「１」であるとき、最下位ビットである１５ビットでＲＡＩＤ（Ｒａｎｄｏｍ  Ａｃｃｅｓｓ  ＩＤ）を使用することを特徴とする請求項２１に記載の装置。
【発明の詳細な説明】
【技術分野】
【０００１】
本発明は無線通信システムおけるマップ転送に関するものであり、特に広帯域無線通信システムにおけるランダム化及びＣＲＣマスキング（Ｍａｓｋｉｎｇ）を介してＭＡＰ情報を転送する方法及び装置に関するものである。
【背景技術】
【０００２】
ＩＥＥＥ８０２．１６ｍ通信システムにおいて、基地局はダウンリンク／アップリンクから端末に割り当てられるか、使用される資源及びデータの送信／受信のために必要な情報をＡｓｓｉｇｎｍｅｎｔ  Ａ−ＭＡＰ  ＩＥを介して転送することになる。
【０００３】
前記Ａｓｓｉｇｎｍｅｎｔ  Ａ−ＭＡＰ  ＩＥは各端末の動作のために必要な情報を含んでいるもので、基地局は予め約束されたランダム化（ｒａｎｄｏｍｉｚａｔｉｏｎ）のシード（ｓｅｅｄ）値とＣＲＣ（Ｃｙｃｌｅ  Ｒｅｄｕｎｄａｎｃｙ  Ｃｈｅｃｋ）マスク（ＭＡＳＫ）値を使用して前記Ａｓｓｉｇｎｍｅｎｔ  Ａ−ＭＡＰ  ＩＥを端末に転送する。この際、各端末は予め約束されたランダム化のシード値とＣＲＣマスク値を使用し、自らに与えられたＡｓｓｉｇｎｍｅｎｔ  Ａ−ＭＡＰ  ＩＥを確認する。ここで、ランダム化のシード値は、１６ビットＣＲＣ  ＭＡＳＫ値からＭａｓｋｉｎｇ  Ｐｒｅｆｉｘ（１ビット）を除外した１５ビットを使用する。この際、予め約束されたランダム化のシード値とＣＲＣ  ＭＡＳＫ値を決定するに当たって最も重要な値は、端末のＳＴＩＤ値となる。
【０００４】
しかし、もし悪意を持った端末が自分のＳＴＩＤではない他のＳＴＩＤを利用して他の端末に割り当てられたＡｓｓｉｇｎｍｎｅｔ  Ａ−ＭＡＰ  ＩＥ情報を確認しようとする場合、セキュリティに脆弱な特徴がある。即ち、ＳＴＩＤは１２ビットで４０９１２２６６個の異なる値のみを有するようになるため、そしてその値を誰もが知ることができるため、充分に他の端末に割り当てられたＡｓｓｉｇｎｍｅｎｔ  Ａ−ＭＡＰ  ＩＥ情報を獲得することができるようになる。
【０００５】
結局、他の使用者端末のＡｓｓｉｇｎｍｅｎｔ  Ａ−ＭＡＰ  ＩＥを介し、ダウンリンクを介して転送される他の使用者のデータに対する割当情報を獲得した後、これを受信されるとセキュリティに問題が発生し得る。
【０００６】
従って、本発明ではこのような問題点を解決するために、Ａｓｓｉｇｎｍｎｅｔ  Ａ−ＭＡＰ  ＩＥをより安全に転送することができる方法及び装置について提案する。
【先行技術文献】
【特許文献】
【０００７】
【特許文献１】韓国特許登録第１０−０８７７７４６号公報
【発明の概要】
【発明が解決しようとする課題】
【０００８】
本発明の目的は、広帯域無線通信システムにおいて、マップ情報転送の方法及び装置に提供することにある。
【０００９】
本発明の他の目的は、広帯域無線通信システムにおいて、ランダム化及びＣＲＣ（Ｃｙｃｌｅ  Ｒｅｄｕｎｄａｎｃｙ  Ｃｈｅｃｋ）マスクを利用し、Ａｓｓｉｇｎｍｅｎｔ  Ａ−ＭＡＰ  ＩＥをより安定に転送するための方法及び装置を提供することにある。
【００１０】
本発明の更に他の目的は、広帯域無線通信システムにおいて、ランダム化（ｒａｎｄｏｍｉｚａｔｉｏｎ）及びＣＲＣマスクのためのシード値（ｓｅｅｄ  ｖａｌｕｅ）決定の方法及び装置を提供することにある。
【課題を解決するための手段】
【００１１】
上述した目的を達成するための本発明の第１見地によると、無線通信システムにおけるマップ情報転送のための基地局動作の方法において、マップ情報ビットをランダム化するためのシード（ｓｅｅｄ）値を決定する過程と、前記シード値と加入者識別子（Ｓｔａｔｉｏｎ  Ｉｄｅｎｔｉｆｉｅｒ：ＳＴＩＤ）を含むＭＡＣ制御メッセージを構成する過程と、前記ＭＡＣ制御メッセージを端末に転送する過程と、を含むことを特徴とし、前記ＭＡＣ制御メッセージは、ネットワーク進入の際、端末から受信されたレンジング要請（ＡＡＩ−ＲＮＧ−ＲＥＱ）メッセージに応答して基地局によって転送されるレンジング応答（ＡＡＩ−ＲＮＧ−ＲＳＰ）メッセージ、ネットワーク進入の途中、一般端末能力（ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ために、端末から受信された登録要請（ＡＡＩ−ＲＥＧ−ＲＥＱ）メッセージに受信された登録要請（ＡＡＩ−ＲＥＧ−ＲＥＱ）メッセージに応答して基地局によって転送される登録応答メッセージ（ＡＡＩ−ＲＥＧ−ＲＳＴ）、ハンドオーバーの手順を始める（ｉｎｉｔｉａｔｅ）ために、或いは端末によって転送されたハンドオーバー要請メッセージ（ＡＡＩ−ＨＯ−ＲＥＱ）に応答して基地局によって転送されるハンドオーバー命令（ＡＡＩ−ＨＯ−ＣＭＤ）メッセージのうち一つであることを特徴とする。
【００１２】
上述した目的を達成するための本発明の第２見地によると、無線通信システムにおけるマップ情報受信のための端末動作の方法において、ネットワーク進入の手順の際、マップ情報ビットをランダム化するためのシード値及び加入者識別子を含むＭＡＣ制御メッセージを基地局から受信する過程と、前記ＭＡＣ制御メッセージから前記シード値及び前記加入者識別子を抽出する過程と、前記シード値及び前記加入者識別子に基づき、前記マップ情報ビットを復号する過程と、を含むことを特徴とし、前記ＭＡＣ制御メッセージは、ネットワーク進入の際、端末から受信されたレンジング要請メッセージに応答して基地局によって転送されるレンジング応答メッセージ、ネットワーク進入の途中、一般端末能力を交渉して登録するために、端末から受信された登録要請メッセージに受信された登録要請メッセージに応答して基地局によって転送される登録応答メッセージ、ハンドオーバーの手順を始めるために、或いは端末によって転送されたハンドオーバー要請メッセージに応答して基地局によって転送されるハンドオーバー命令メッセージのうち一つであることを特徴とする。
【００１３】
上述した目的を達成するための本発明の第３見地によると、無線通信システムにおけるマップ情報転送のための基地局装置において、マップ情報ビットをランダム化するためのシード値を決定し、前記シード値及び加入者識別子を含むＭＡＣ制御メッセージを構成する制御部と、前記ＭＡＣ制御メッセージを端末に転送する送信部と、を含むことを特徴とし、前記ＭＡＣ制御メッセージは、ネットワーク進入の際、端末から受信されたレンジング要請メッセージに応答して基地局によって転送されるレンジング応答メッセージ、ネットワーク進入の途中、一般端末能力を交渉して登録するために、端末から受信された登録要請メッセージに受信された登録要請メッセージに応答して基地局によって転送される登録応答メッセージ、ハンドオーバーの手順を始めるために、或いは端末によって転送されたハンドオーバー要請メッセージに応答して基地局によって転送されるハンドオーバー命令メッセージのうち一つであることを特徴とする。
【００１４】
上述した目的を達成するための本発明の第４見地によると、無線通信システムにおけるマップ情報受信のための端末装置において、ネットワーク進入の手順の際、マップ情報ビットをランダム化するためのシード値及び加入者識別子を含むＭＡＣ制御メッセージを基地局から受信する受信部と、前記ＭＡＣ制御メッセージから前記シード値及び前記加入者識別子を抽出し、前記シード値及び前記加入者識別子に基づき、前記マップ情報ビットを復号する復号部と、を含むことを特徴とし、前記ＭＡＣ制御メッセージは、ネットワーク進入の際、端末から受信されたレンジング要請メッセージに応答して基地局によって転送されるレンジング応答メッセージ、ネットワーク進入の途中、一般端末能力を交渉して登録するために、端末から受信された登録要請メッセージに受信された登録要請メッセージに応答して基地局によって転送される登録応答メッセージ、ハンドオーバーの手順を始めるために、或いは端末によって転送されたハンドオーバー要請メッセージに応答して基地局によって転送されるハンドオーバー命令メッセージのうち一つであることを特徴とする。
【図面の簡単な説明】
【００１５】
【図１】本発明の実施例による広帯域無線通信システムにおいて、マップ情報の転送のための送信装置図である。
【図２】本発明の実施例による広帯域無線通信システムにおいて、マップ情報の受信のための受信装置図である。
【図３】本発明の実施例による広帯域無線通信システムにおいて、マップ情報の転送のための送信機動作のフローチャートである。
【図４】本発明の実施例による広帯域無線通信システムにおいて、マップ情報の受信のための受信機動作のフローチャートである。
【発明を実施するための形態】
【００１６】
以下、本発明の好ましい実施例を、添付した図面を参照して詳細に説明する。そして、本発明を説明するに当たって、関連する公知機能或いは構成に対する具体的な説明が本発明の要旨を不明確にする恐れがあると判断される場合には、その詳細な説明を省略する。そして、後述する用語は本発明における機能を考慮して定義されたものであり、これは使用者、操作者の意図又は慣例などによって異なり得る。従って、その定義は、本明細書全般にかかる内容に基づいて下されるべきである。
【００１７】
以下、本発明は、無線通信システムにおけるマップ情報転送の方法及び装置について説明する。特に、ランダム化（ｒａｎｄｏｍｉｚａｔｉｏｎ）及びＣＲＣ（Ｃｙｃｌｅ  Ｒｅｄｕｎｄａｎｃｙ  Ｃｈｅｃｋ）マスクを利用し、Ａｓｓｉｇｎｍｅｎｔ  Ａ−ＭＡＰ  ＩＥをより安定に転送するための方法及び装置について説明する。
【００１８】
以下の説明において、ＩＥＥＥ８０２．１６ｍ通信システムを例に説明する。しかし、本発明はＩＥＥＥ８０２．１６ｍ通信システムに限らない。
【００１９】
ＩＥＥＥ８０２．１６ｍ標準において、Ａｓｓｉｇｎｍｅｎｔ  Ａ−ＭＡＰ  ＩＥの転送は以下のように行われる。
【００２０】
Ａｓｓｉｇｎｍｎｅｔ  Ａ−ＭＡＰ  ＩＥ（４０ビット）はランダム化され、１６ビットのマスクされたＣＲＣが前記ランダム化されたマップ情報ビットに挿入された後、ＴＢＣＣエンコーダを介してチャンネルエンコーディングされ、ＱＰＳＫに変調されてから転送される。
【００２１】
ランダム化のためのシード値として、ＣＲＣ  ＭＡＳＫでＭａｓｋｉｎｇ  Ｐｒｅｆｉｘ（１ビット）を除外した１５ビットを使用される。一方、１６ビットのＣＲＣは、ＣＲＣ  ＭＡＳＫでマスキングされて生成される。
【００２２】
即ち、端末ごとにＳＩＴＤに基づき、ランダム化及びＣＲＣ  ＭＡＳＫＩＮＧを介してＡｓｓｉｇｎｍｅｎｔ  Ａ−ＭＡＰ  ＩＥを該当端末のみが受信し得る。しかし、不順な意図を持つ任意の端末が全てのＳＩＴＤを使用し、Ａｓｓｉｇｎｍｅｎｔ  Ａ−ＭＡＰ  ＩＥを受信してその情報を獲得することができる。これは、ＳＴＩＤが１２ビットの大きさで総４０９６ＩＤが存在する。従って、全てのＳＩＴＤを使用し、結局全てのＡ−ＭＡＰ  ＩＥを受信できるようになってもよい。
【００２３】
本発明では、端末にＳＴＩＤ以外に更に他の特定の値（或いはシード値）を付与し、この値を利用してより安全なＡｓｓｉｇｎｍｅｎｔ  Ａ−ＭＡＰ  ＩＥ転送が可能になるようにする。このため、本発明では、基地局がＳＴＩＤではない新しい値を端末に転送し、この値を使用してランダム化のシード値として利用するようにして、より安全なＡｓｓｉｇｎｍｅｎｔ  Ａ−ＭＡＰ  ＩＥ転送を行う。
【００２４】
図１は、本発明の実施例による広帯域無線通信システムにおいて、マップ転送のための送信機を図示している。
【００２５】
前記図１を参照すると、送信機は、ランダム化機１００、ＣＲＣマスク部１０４、ＣＲＣ挿入機１０２、チャンネルコーディング部１０６、変調機１０８、そしてＭＩＭＯ先処理機１１０を含んで構成される。
【００２６】
前記ランダム化機１００は、疑似ランダム２進数列（Ｐｓｅｕｄｏ−Ｒａｎｄｏｍ  Ｂｉｎａｒｙ  Ｓｅｑｕｅｎｃｅ：ＰＲＢＳ）生成機（図示せず）によって生成されたシーケンスを利用し、該当マップ情報をランダム化する。即ち、Ａ−Ａ−ＭＡＰ  ＩＥに含まれた４０ビット情報ビットは、疑似ランダム２進数列生成機１００によって生成されたシーケンスによってマスキングされる。Ａ−Ａ−ＭＡＰ  ＩＥと共にＸＯＲ演算される際、マスクはＡ−Ａ−ＭＡＰ  ＩＥをランダム化する。
【００２７】
前記ランダム化は、初期ベクター（ｉｎｉｔｉａｌ  ｖｅｃｔｏｒ）によって初期化される。１５ビットの初期ベクターは、該当ＭＡＣ制御メッセージを介して転送されたシード値によって決定される。
【００２８】
例えば、前記シード値は、基地局が端末にＳＴＩＤ（Ｓｔａｔｉｏｎ  Ｉｄｅｎｔｉｆｉｅｒ）を割り当てるＭＡＣ制御メッセージに含まれて転送されるようになる。このようなＭＡＣ制御メッセージには、レンジング応答メッセージ（ＡＡＩ−ＲＮＧ−ＲＳＰ）、登録応答メッセージ、（ＡＡＩ−ＲＥＧ−ＲＳＰ）、ハンドオーバー命令メッセージ（ＡＡＩ−ＨＯ−ＣＭＤ）などがある。言い換えると、ネットワーク進入の際、端末はレンジング要請メッセージ（ＡＡＩ−ＲＮＧ−ＲＥＱ）を基地局に転送し、基地局は端末から受信されたレンジング要請メッセージに応答してシード値を含むレンジング応答メッセージを端末に転送する。そして、ネットワーク進入の途中、一般端末能力（Ｇｅｎｅｒａｌ  ＡＭＳ  ｃａｐａｂｉｌｉｔｉｅｓ）を交渉して登録する（ｄｏ  ｒｅｇｉｓｔｒａｔｉｏｎ）ため、端末は登録要請メッセージを基地局に転送し、基地局は端末から受信された登録要請メッセージに応答してシード値を含む登録応答メッセージを端末に転送する。そして、基地局はハンドオーバーの手順を始める（ｉｎｉｔｉａｔｅ）ためにシード値を含むハンドオーバー命令（ＡＡＩ−ＨＯ−ＣＭＤ）メッセージを端末に転送するか、或いは、端末によって転送されたハンドオーバー要請メッセージに応答してシード値を含むハンドオーバー命令メッセージを端末に転送する。
【００２９】
本発明によるレンジング応答メッセージ、登録応答メッセージ、ハンドオーバー応答メッセージは、下記＜表１＞乃至下記＜表３＞に図示している。
【００３０】
【表１】
0005897850.tif 000002
【００３１】
【表２】
0005897850.tif 000003
【００３２】
【表３】
0005897850.tif 000004
【００３３】
具現によって、前記シード値は、単純に持続される値ではなく時間的に変更される値であってもよい。即ち、初期値がシグナリング（ｓｉｇｎａｌｉｎｇ）された後、時間による変更は、別途の約束によって変更され得るようにしてもよい。これはよち安全なＡｓｓｉｇｎｍｅｎｔ  Ａ−ＭＡＰ  ＩＥの転送のために必要となる。もちろん、この際端末と基地局は同じ時間変更函数を共有し、相互間に同期は維持されるべきである。
【００３４】
前記ＣＲＣマスク部１０４は、１６ビットのＣＲＣをＣＲＣ  ＭＡＳＫでマスキング（ＭＡＳＫＩＮＧ）してＣＲＣ挿入機１０２に提供する。即ち、前記ＣＲＣマスク部１０４は、１６ビットのＣＲＣと１６ビットのＣＲＣマスク値をＸＯＲ演算させる。ここで、前記ＣＲＣ  ＭＡＳＫの技術（ｄｅｓｃｒｉｐｔｉｏｎ）は下記＜表４＞のようである。
【００３５】
【表４】
0005897850.tif 000005
【００３６】
即ち、ＣＲＣマスクは、ｍａｓｋｉｎｇ  ｐｒｅｆｉｘ（１ビット）と最下位ビット（Ｌｅａｓｔ  Ｓｉｇｎｉｆｉｃａｎｔ  Ｂｉｔ：ＬＢＳ）（１５ビット）で構成される。ｍａｓｋｉｎｇ  ｐｒｅｆｉｘが「０」である場合、最下位ビットである１５ビットはＴｙｐｅ  ｉｎｄｉｃａｔｏｒ（３ビット）、そしてｍａｓｋｉｎｇ  ｃｏｄｅ（１２ビット）で構成される。ｍａｓｋｉｎｇ  ｐｒｅｆｉｘが「１」である場合、１５ビットＲＡＩＤを使用する。Ｔｙｐｅ  ｉｎｄｉｃａｔｏｒはマスクコードが「ＳＴＩＤ」であるのか、或いは「０ｘＦＦＦ」であるのか、或いは下記＜表５＞のｍａｓｋｉｎｇ  ｃｏｄｅであるのかを指示する。
【００３７】
【表５】
0005897850.tif 000006
【００３８】
一方、本発明によって、ｍａｓｋｉｎｇ  ｃｏｄｅのうちＳＴＩＤは、メッセージを介して基地局から端末に転送された１２ビットシード値で代替されてもよい。
【００３９】
前記ＣＲＣ挿入機１０２は、前記マスクされたＣＲＣ値を前記ランダム化されたマップ情報ビットのテイル（ｔａｉｌ）に追加し、チャンネルコーディング部１０６に出力する。
【００４０】
前記チャンネルコーディング部１０６は、ＣＲＣ挿入機１０２から提供されたビットをチャンネルコーディングし、前記変調機１０８に提供する。前記チャンネルコーディング方式として、ＴＢＣＣ（Ｔａｉｌ−Ｂｉｔｉｎｇ  Ｃｏｎｖｏｌｕｔｉｏｎａｌ  Ｃｏｄｅｓ）或いはＣＴＣ（Ｃｏｎｖｏｌｕｔｉｏｎａｌ  Ｔｕｒｂｏ  Ｃｏｄｅｓ）が使用されてもよい。
【００４１】
前記変調機１０８は、前記チャンネルコーディングされた情報ビットを該当変調方式で変調し、前記ＭＩＭＯ先処理機１１０に提供する。前記変調方式は、ＱＰＳＫ，８ＱＡＭ，１６ＱＡＭ，６４ＱＡＭなどが使用されてもよい。前記ＭＩＭＯ先処理機１１０は、変調シンボルを該当アンテナとマッピングして転送する。
【００４２】
図２は、本発明の実施例による広帯域無線通信システムにおいて、マップ転送のための送信機を図示している。
【００４３】
前記図２を参照すると、受信機は、ＭＩＭＯ検出器２００、復調器２０２、チャンネルデコーディング２０４、ＣＲＣチェック部２０６及び逆ランダム化機２０８を含んで構成される。
【００４４】
前記ＭＩＭＯ検出器２００は、ＭＭＳＥ（Ｍｉｎｉｍｕｍ  Ｍｅａｎ  Ｓｑｕａｒｅ  Ｅｒｒｏｒ）或いはＭＬ（Ｍａｘｉｍｕｍ  ｌｉｋｅｌｉｈｏｏｄ）に基づき、多重アンテナを介して受信された信号から望みの信号を検出する。
【００４５】
前記復調器２０２は、検出された信号を送信機の変調方式に対応する復調方式で復調を行い、前記チャンネルデコーディング２０４は、前記復調された信号を送信機のエンコーディング方式に対応するデコーティング方式にデコーティングし、情報を獲得する。
【００４６】
前記ＣＲＣチェック部２０６は、ＣＲＣマスクを利用してマスクされたＣＲＣを元のＣＲＣに復元し、復元されたＣＲＣマスクに基づいてＣＲＣチェックを行う。
【００４７】
前記逆ランダム化機２０８は、送信機から該当メッセージを介して受信されたシード値を利用し、逆ランダム化を行ってマップ情報を復元する。
【００４８】
図３は、本発明の実施例による広帯域無線通信システムにおいて、マップ転送のための送信機動作のフローチャートを図示している。
【００４９】
前記図３を参照すると、送信機は３００ネットワーク進入の手順の際、ＳＴＩＤと共にシグナリングを介してランダム化のためのシード値を受信機に転送する。例えば、ランダム化のためのシード値は、登録メッセージ、レンジングメッセージ、ハンドオーバーメッセージのうち少なくとも一つ以上のメッセージを介して基地局から端末に転送される。
【００５０】
一方、前記シード値は、単純に持続される値ではなく時間的に変更される値であってもよい。即ち、初期値がシグナリングされた後、時間による変更は、別途の約束によって変更され得るようにしてもよい。これは更に安全はＡｓｓｉｇｎｍｅｎｔ  Ａ−ＭＡＰ  ＩＥの転送のために必要となる。もちろん、この際端末と基地局は同じ時間変更函数を共有し、相互間に同期は維持されるべきである。
【００５１】
前記シード値は１２ビット或いは１５ビットであり、前記シード値が１２ビットである場合、前記シード値はＣＲＣマスクのＳＴＩＤを代替して使用されるものであり、前記シード値が１５ビットである場合、ＣＲＣマスク値の代わりに使用するようになる。
【００５２】
次に、前記送信機はステップ３０２で、前記シード値を利用してシーケンスを生成し、ステップ３０４で転送するマップ情報ビットをランダム化する。
【００５３】
次に、前記送信機はステップ３０６で、ＣＲＣマスク値を利用してＣＲＣをマスキングする。即ち、１６ビットＣＲＣ値と１６ビットＣＲＣマスクをＸＯＲ演算させる。ここで、ＣＲＣマスクはＳＴＩＤ或いはステップ３００でのシード値で決定されてもよい。
【００５４】
次に、前記送信機はステップ３０８で、１５ビットシード値或いはＣＲＣマスクの１５ビットでランダム化されたマップ情報ビットにマスクされたＣＲＣ値を追加する。
【００５５】
次に、前記送信機はステップ３１０でチャンネルエンコーディングを行い、ステップ３１２でチャンネルコーディングされたデータを変調し、ステップ３１４で変調シンボルをＭＩＭＯエンコーディング／先処理を行う。
【００５６】
図４は、本発明の実施例による広帯域無線通信システムにおいて、マップ転送のための受信機動作のフローチャートを図示している。
【００５７】
前記図４を参照すると、受信機はステップ４００で、多重アンテナを介して受信された信号から望みの信号を検出する。
【００５８】
次に、前記受信機はステップ４０２で望みの信号を復調し、ステップ４０４で復調された信号をチャンネルデコーディングする。
【００５９】
次に、前記受信機はステップ４０６で、ＣＲＣマスク値を利用してマスクされたＣＲＣを復元する。言い換えると、マスクされたＣＲＣからマスクされないＣＲＣ値を決定する。
【００６０】
次に、前記受信機はステップ４０８で、シード値を利用してランダム化されたマップ情報を逆ランダム化する。ここで、前記シード値は、ネットワークの手順を行う途中シグナリングを介して基地局から端末に転送されたシード値である。
【００６１】
上述したように、ランダム化及びＣＲＣマスクのための別途のシード値を登録メッセージ、ハンドオーバーメッセージ、そしてレンジングメッセージを介して転送することで、基地局はＡｓｓｉｇｎｍｅｎｔ  Ａ−ＭＡＰ  ＩＥをより安全に転送することができるという利点がある。
【００６２】
一方、本発明の詳細な説明では具体的な実施例に関して説明したが、本発明の範囲を逸脱しない範囲内で多様な変形が可能であることはもちろんである。従って、本発明の範囲は、説明された実施例に限って決められてはならず、後述する特許請求の範囲だけでなく、この特許請求の範囲と均等なものによって決められるべきである。
【符号の説明】
【００６３】
１００  ランダム化機
１０２  ＣＲＣ挿入機
１０４  ＣＲＣマスク
１０６  チャネルコーディング部
１０８  変調器
１１０  ＭＩＭＯ先処理機
【図１】
0005897850.tif 000007
【図２】
0005897850.tif 000008
【図３】
0005897850.tif 000009
【図４】
0005897850.tif 000010